(57)【要約】      （修正有）【課題】柔らかく潰れやすい収納物であっても、収納物を落とす恐れなく容易に開封可能にするオープナー付きカートンを提供する。【解決手段】前記背面板９の上端縁にから順に、第一〜第四の延長板１２ａ〜１２ｄを、それぞれ第一〜第四の折りライン１１ａ〜１１ｄを介して連ね、前記第一の延長板１２ａを、前記第一の折りライン１１ａを介して胴部５の内側に折り返し、前記第二の延長板１２ｂを、前記第二の折りライン１１ｂを介して上方へ屈曲させ、更に前記第三の延長板１２ｃを、前記第三の折りライン１１ｃを介して前記第二の延長板１２ｂの上に重なる方向へ屈曲させると共に、前記タック板１０の先端縁より下方に位置させ、前記第四の延長板１２ｄを、前記第四の折りライン１１ｄを介して折り立てて、前記タック板１０と前記第一の延長板１２ａの間から外部に延出させ、前記第四の延長板１２ｄの外部に延出した部分を引っ張ることで開封できるようにする。【選択図】図１
2014040257.tif 000002
【特許請求の範囲】
【請求項１】
前面板、第一の側面板、背面板及び第二の側面板で四角筒状に構成された胴部の上端側に、前記第一及び第二の側面板の上端縁にそれぞれ連なる第一及び第二のフラップ板と、前記前面板の上端縁に連なる蓋板と、該蓋板の先端縁に連なるタック板とを備え、それぞれ内側へ倒された前記第一及び第二のフラップ板の上に前記蓋板が倒され、前記胴部側へ屈曲させた前記タック板が前記背面板の内面に沿って前記胴部の内側に差し込まれて前記胴部の上端側が閉鎖されたカートンにおいて、
前記背面板の上端縁に第一の折りラインを介して連なる第一の延長板と、該第一の延長板の先端縁に第二の折りラインを介して連なる第二の延長板と、該第二の延長板の先端縁に第三の折りラインを介して連なる第三の延長板と、該第三の延長板の先端縁に第四の折りラインを介して連なる第四の延長板とを備えており、
前記第一の延長板が、前記第一の折りラインを介して胴部の内側に折り返され、
前記第二の延長板が、前記第二の折りラインを介してカートンの内方へ屈曲され、
更に前記第三の延長板が、前記第三の折りラインを介して前記第二の延長板の上に重なる方向へ屈曲されていると共に、前記タック板の先端縁より下方に位置しており、
前記第四の延長板が、前記第四の折りラインを介して折り立てられて、前記タック板と前記第一の延長板の間から外部に延出していることを特徴とするオープナー付きカートン。
【請求項２】
第一及び第二のフラップ板の先端側かつ前記背面板側のコーナー部が内側に折り曲げられて係止部を構成しており、前記第三の延長板が、係止部より下方に位置していることを特徴とする請求項１に記載のオープナー付きカートン。
【請求項３】
前記第一〜第四の延長板の延出方向の合計長さが、前記蓋板と前記タック板の延出方向の合計長さ以下であることを特徴とする請求項１又は２に記載のオープナー付きカートン。
【発明の詳細な説明】
【技術分野】
【０００１】
本発明は、筒状の胴部の少なくとも一端がタックエンド型の開閉部となっており、しかもその開封を容易にするオープナーを備えたカートンに関する。
【背景技術】
【０００２】
一般に、前面板、第一の側面板、背面板及び第二の側面板で四角筒状に構成された胴部の両端にタックエンド型の開閉部を備えたカートンが、タックエンドカートンとして広く知られている。タックエンド型の開閉部は、第一及び第二の側面板の一端縁にそれぞれ連なる第一及び第二のフラップ板と、前面板の一端縁に連なる蓋板と、この蓋板の先端縁に連なるタック板とを備え、それぞれ内側へ倒した第一及び第二のフラップ板の上に蓋板を倒して胴部の一端側の開口部を覆うと共に、胴部側へ屈曲させたタック板を背面板の内面に沿って胴部の内側に差し込むことで、胴部の一端側を開放可能な状態で閉鎖できる構成となっている。
【０００３】
なお、本明細書においては、胴部を構成する一連の４枚の周側面板のうちで、蓋板が連なる周側面板を前面板、この前面板に対向する周側面板（蓋板閉鎖時のタック板の差し込み側となる周側面板）を背面板とし、残る相対向する２枚の周側面板を第一及び第二の側面板とする。
【０００４】
従来、タックエンド型の開閉部を備えたカートンにおいて、二つ折りにした紙片の下側を第一可動底、上側を第二可動底とし、第二可動底の自由端側に引き上げ板を連ね、この引き上げ板を背面板の内側に沿って立ち上げて、上端に引き上げつまみを設けたカートンが知られている（例えば、特許文献１参照）。このカートンの場合、第二可動底上に収納物を入れた状態で引き上げつまみを引き上げると第二可動底が持ち上がって収納物をせり上がらせることができ、これによって取り出しやすい状態とすることができる。
【先行技術文献】
【特許文献】
【０００５】
【特許文献１】特開２００９−１３７６０３号公報
【発明の概要】
【発明が解決しようとする課題】
【０００６】
ところで、タックエンド型の開閉部は、開封時の手掛りが少なく、例えば爪を短く切った直後又は付け爪を付けている時、更には不器用な人にとっては開けづらい問題がある。
【０００７】
一方、特許文献１のカートンは、本来は収納物をせり上がらせて取り出しやすくするための機能を備えたものであるが、タック板を引き上げ板の内側に差し込むようにすると、閉鎖した状態で引き上げつまみを外に出しておくことができる。この状態で引き上げつまみを引き上げると、収納物のせり上げと同時に蓋板を押し上げて開封することが可能となる。
【０００８】
しかしながら、上記のようなオープナー機能を持たせた場合、せり上げられる収納物に押されて蓋板が押し上げられるので、不用意に引き上げつまみを引き上げると、開封の反動で、せり上がった収納物がカートンからこぼれ落ちてしまう恐れがある。また、柔らかく、潰れやすい収納物に対しては収納物が蓋板を押し上げる際に形が変形してしまうため適用しにくい問題もある。
【０００９】
更に、化粧品のボトルといった重い収納物であった場合、第二可動底上にボトルを入れた状態で引き上げつまみを引き上げ、第二可動底上にあるボトルをせり上げて蓋板を押し上げて開封することとなり、開封するにはボトルを動かす力が必要となる。つまり、収納物によって開封する応力が変わるという問題がある。
【００１０】
本発明は、上記従来の問題点に鑑みてなされたもので、どのような収納物であっても一定の力で開封でき、しかも収納物を落とす恐れなく容易に開封可能なタックエンド型の開閉部を備えたカートンを提供することを目的とする。
【課題を解決するための手段】
【００１１】
上記目的のために本発明は、前面板、第一の側面板、背面板及び第二の側面板で四角筒状に構成された胴部の上端側に、前記第一及び第二の側面板の上端縁にそれぞれ連なる第一及び第二のフラップ板と、前記前面板の上端縁に連なる蓋板と、該蓋板の先端縁に連なるタック板とを備え、それぞれ内側へ倒された前記第一及び第二のフラップ板の上に前記蓋板が倒され、前記胴部側へ屈曲させた前記タック板が前記背面板の内面に沿って前記胴部の内側に差し込まれて前記胴部の上端側が閉鎖されたカートンにおいて、
前記背面板の上端縁に第一の折りラインを介して連なる第一の延長板と、該第一の延長板の先端縁に第二の折りラインを介して連なる第二の延長板と、該第二の延長板の先端縁に第三の折りラインを介して連なる第三の延長板と、該第三の延長板の先端縁に第四の折りラインを介して連なる第四の延長板とを備えており、
前記第一の延長板が、前記第一の折りラインを介して胴部の内側に折り返され、
前記第二の延長板が、前記第二の折りラインを介してカートンの内方へ屈曲され、
更に前記第三の延長板が、前記第三の折りラインを介して前記第二の延長板の上に重なる方向へ屈曲されていると共に、前記タック板の先端縁より下方に位置しており、
前記第四の延長板が、前記第四の折りラインを介して折り立てられて、前記タック板と前記第一の延長板の間から外部に延出していることを特徴とするオープナー付きカートンを提供するものである。
【００１２】
上記本発明は、第一及び第二のフラップ板の先端側かつ前記背面板側のコーナー部が内側に折り曲げられて係止部を構成しており、前記第三の延長板が、係止部より下方に位置していること、前記第一〜第四の延長板の延出方向の合計長さが、前記蓋板と前記タック板の延出方向の合計長さ以下であること、をその好ましい態様として含むものである。
【発明の効果】
【００１３】
本発明によれば、第四の延長板の外部に延出している部分を摘まんで引っ張ると、第一〜第三の延長板が引き出されるのに伴って、タック板と第一及び第二のフラップ板が押し上げられるので、蓋板を開くことができる。第四の延長板の突出量は摘まみやすい任意の量に調整できるので、誰でも簡単に操作することができ、開封操作が容易となる。また、収納物を静置させたまま、収納物とは係りなく蓋板を開くことができる。このため、潰れやすい収納物であっても差支えがなく適用でき、しかも蓋板の開放時に収納物をこぼす心配がなく、収納物の重さによって開封しやすさが変化してしまうこともない。
【００１４】
その他の本発明の効果については、以下の実施の形態の説明と共に説明する。
【図面の簡単な説明】
【００１５】
【図１】本発明の一例に係るオープナー付きカートンの蓋板が解放された状態の斜視図である。
【図２】図１に示されるオープナー付きカートンの上部の拡大断面図で、（ａ）は蓋板を閉じる前の状態を示す図、（ｂ）は蓋板を閉じた状態を示す図である。
【図３】図１に示されるオープナー付きカートンの外面側から見た展開図である。
【図４】図１に示されるオープナー付きカートンの蓋板の開放動作の説明図で、開放動作初期段階の断面図である。
【図５】図１に示されるオープナー付きカートンの蓋板の開放動作の説明図で、半開状態の断面図である。
【図６】図１に示されるオープナー付きカートンの蓋板の開放動作の説明図で、全開状態の断面図である。
【図７】本発明に係るオープナー付きカートンの他の例を示す斜視図である。
【図８】実施例で用いた本発明に係るオープナー付きカートンの各部の寸法入りの外面側から見た展開図である。
【発明を実施するための形態】
【００１６】
以下、図面に基づいて本発明を更に説明する。なお、以下に参照する図面において、同じ符号は同様の構成要素を示す。
【００１７】
図１〜図３に基づいて本発明の一例に係るオープナー付きカートンの構成を説明する。
【００１８】
特に図１及び図３に示されるように、本例のオープナー付きカートンは、前面板１、この前面板１に対向する背面板４、前面板１と背面板４を連結し、互いに対向する第一及び第二の側面板２，３によって四角筒状に構成された胴部５を備えている。第一の側面板２と背面板４と第二の側面板３と前面板１はそれぞれ折りラインを介して連続しており、第一の側面板２と前面板１は、前面板１から折りラインを介して延出したのり代片６を介して接合され、四角筒状に構成されている。
【００１９】
胴部５の上端側には、第一及び第二の側面板２，３の上端縁にそれぞれ折りラインを介して連なる第一及び第二のフラップ板７，８と、前面板１の上端縁に折りラインを介して連なる蓋板９と、この蓋板９の先端に折りラインを介して連なるタック板１０とが設けられている。これらは、それぞれ胴部５の内側へ倒された第一及び第二のフラップ板７，８の上に蓋板９を倒して胴部５の上端側の開口部を覆うと共に、胴部５側へ屈曲させたタック板１０を背面板４の内面に沿って胴部５の内側に差し込むことで胴部５の上端側を開閉可能に閉鎖するタックエンド型の開閉部を構成している。
【００２０】
なお、本明細書においては、前記のように、蓋板９が連なる周側面板を前面板１、この前面板１に対向する周側面板を背面板４としているもので、前面板１と背面板４は包装体とした時の前面と背面を意味するものではない。
【００２１】
本例においては、図３に示されるように、胴部５の下端側にも、第一及び第二のフラップ板７’，８’と、蓋板９’と、タック板１０’とが上記と同様にして設けられて、タックエンド型開閉部を構成している。ただし、本発明においては、胴部５の上端側がタックエンド型の開閉部となっていれば足り、下端側は他の折り込み形式や接着により閉鎖した底面部とすることができる。この底面部は、開閉可能な構造であっても開閉できない構造であってもよい。
【００２２】
胴部５の上端側には、第一〜第四の延長板１２ａ〜１２ｄが延出している。まず、背面板４の上端縁に第一の折りライン１１ａを介して第一の延長板１２ａが連なっている。そして、第一の延長板１２ａの先端縁には第二の折りライン１１ｂを介して第二の延長板１２ｂが連なり、第二の延長板１２ｂの先端縁には第三の折りライン１１ｃを介して第三の延長板１２ｃが連なり、更に第三の延長板１２ｃの先端縁には第四の折りライン１１ｄを介して第四の延長板１２ｄが連なっている。第一〜第四の折りラインは互いに平行に設けられている。
【００２３】
上端側のタックエンド型の開閉部が閉鎖された状態において、図２に示されるように、第一の延長板１２ａは、第一の折りライン１１ａを介して胴部５の内側に折り返されている。第二の延長板１２ｂは、第二の折りライン１１ｂを介してカートンの内方へ屈曲され、第三の延長板１２ｃは第三の折りライン１１ｃを介して第二の延長板１１ｂの上に重なる方向へ屈曲されている。また、第三の延長板１２ｃは、胴部５の内側に差し込まれているタック板１０の先端縁より下方に位置している。第四の延長板１２ｄは、第四の折りライン１１ｄを介して折り立てられて、タック板１０と、胴部５の内側に折り返された第一の延長板１２ａとの間から外部に延出している。
【００２４】
図２（ｂ）に示される第四の延長板１２ｄは、外に延出した部分が、補助折りライン１３を介して蓋板９側へ折り倒されている。このようにすると、第四の延長板１２ｄの外に延出した部分が出っ張りとなって邪魔になるのを防止できるが、補助折りライン１３による折り倒しは省略することもできる。また、本例における第一及び第二のフラップ板７，８の先端側かつ背面板４側のコーナー部は、図１及び図３に明示されているように、基部の末端から先端へ向かって斜めに設けられた斜め折りライン１４，１５を介して内側に約９０度屈曲させられて、係止部１６，１７を構成している。閉鎖状態における係止部１６，１７はタック板１０の先端よりも上方にあり、第三の延長板１２ｃは係止部１６，１７よりも下方に位置している。この係止部１６，１７の役割については次の開放動作の説明と共に述べる。
【００２５】
次に、閉鎖状態にある蓋板９の開放動作について説明する。
【００２６】
タックエンド型の開閉部が、内側に倒された蓋板９によって閉鎖されている状態である図２（ｂ）の状態において、図４に示されるように、第四の延長板１２ｄの外に延出した部分を摘まんで引っ張る。すると、第三の延長板１２ｃが持ち上がって、タックエンド１０の下端を押し上げる。そして、これにより、蓋板９の押し上げが始まる。
【００２７】
引き続き第四の延長板１２ｄ引っ張ると、図５に示されるように、第三の延長板１２ｃが更に持ち上がって、係止部１６，１７を介して第一及び第二のフラップ板７，８を持ち上げ、これによって蓋板６が更に押し上げられる。
【００２８】
更に第四の延長板１２ｄの引っ張りを続けると、図１及び図６に示されるように、第一及び第二のフラップ板７，８がほぼ垂直に立ち、蓋材９も立ち上がった開放状態となる。この状態まで第四の延長板１２ｄが引っ張られると、折り畳まれて胴部５内に収容されていた第一〜第四の延長板１２ａ〜１２ｄが引き出された状態となり、第一及び第二の延長板１２ａ，１２ｂの背面に係止部１６，１７が当接する。係止部１６，１７の当接による抵抗を感じた時に第四の延長板１２ｄの引っ張りを止めると、図１及び図６に示されるように、第一及び第二のフラップ板７，８、蓋材９及び第一〜第四の延長板１１ａ〜１１ｄが立ち上がった状態の開封状態を得ることができる。
【００２９】
上記のようにして蓋板９を解放すれば、手掛りの少ない蓋板９を直接引き上げて開放する場合に比して極めて開封が容易となる。また、図１及び図６に示されるような開封状態となれば、直ちに収納物を取り出すことができる。
【００３０】
ところで、図１及び図６に示される状態から更に第四の延長板１２ｄを引っ張ってしまうと、第一及び第二のフラップ板７，８の間から第一〜第四の延長板１１ａ〜１１ｄが外れ、第一及び第二のフラップ板７，８が弾性的に内側に倒れ込み、蓋板９も内側に倒れやすくなる。蓋板９が倒れても簡単に持ち上げて開口部を露出させることはできるが、図１及び図６に示される状態で開封を止めれば、直ちに収納物を取り出すことができ、取扱い性がよい。係止部１６，１７は、必須の構成ではないが、第一及び第二のフラップ板７，８、蓋材９及び第一〜第四の延長板１１ａ〜１１ｄが立ち上がった状態で開封作業を止める抵抗感を与えるもので、カートンの取り扱い性を向上させることができるので、設けることが好ましい。また、図１及び図６に示される状態において、蓋板９は、立ち上がった第一及び第二フラップ板７，８の前面板１側の側縁部に支えられて立ち上げられた状態を維持するストッパーとしての役割も担っている。
【００３１】
蓋板９を再び閉鎖する場合、第一〜第四の延長板１２ａ〜１２ｄを折り畳んで元の状態に戻し、第一及び第二のフラップ板７，８を内側に倒してから、蓋板９を内側に倒してタック板１０を、内側に折り返された第一の延長板１２ａに沿って胴部５の内側に差し込むことで容易に閉鎖することができる。
【００３２】
本発明に係るオープナー付きカートンは紙で構成されているもので、第一〜第四の延長板１２ａ〜１２ｄの引き出しに伴ってタック板１０の確実な突き上げができる適度な剛性を得る上で、坪量が２００〜４００ｇ／ｍ2の紙を用いることが好ましい。本発明に係るオープナー付きカートンを構成する紙としては、合成樹脂フィルムがコーティングされた紙、合成樹脂フィルム又は金属箔がサンドされた紙であってもよい。
【００３３】
第一〜第四の延長板１２ａ〜１２ｄの合計延出長さは、蓋板９とタック板１０の合計延出長さと同等以下であることが好ましい。このようにすることにより、端材となる領域を用いて第一〜第四の延長板１２ａ〜１２ｄを形成することができ、製造単価の上昇防止と材料の有効利用を図りつつ本発明に係るカートンを得ることができる。
【００３４】
図面に基づいて説明した例においては、第四の延長板１２ｄは、第一〜第三の延長板１２ａ〜１２ｄと同じ幅となっているが、第四の延長板１２ｄ全体又は閉鎖時に外部に出ている第四の延長板１２ｄの先端部は、幅を狭くすることができる。例えば、第四の延長板１２ｄの先端部を、図７に示されるように、舌片状の摘み片１８として外部に延出させておくことができる。
【実施例】
【００３５】
実施例
坪量３１０ｇ/ｍ2の板紙（型番：ＣＲＣ、レンゴー株式会社製）を用意し、図８に示す各部の寸法のカートンブランクを切り抜き、これを組み立てて図１〜図３で説明した本発明の一例に係るオープナー付きカートンを得た。
【００３６】
組み立てたカートンに収納物として香水瓶（高さ９５ｍｍ、φ４５、重さ１００ｇ）を収納した状態で開封テストを行った。外部に延出した第四の延長板引っ張ることによる開封動作を１０回繰り返した結果、１０回とも容易に開封することができた。
【符号の説明】
【００３７】
１  前面板
２  第一の側面板
３  第二の側面板
４  背面板
５  胴部
６  のり代片
７，７’  第一のフラップ板
８，８’  第二のフラップ板
９，９’  蓋板
１０，１０’  タック板
１１ａ  第一の折りライン
１１ｂ  第二の折りライン
１１ｃ  第三の折りライン
１１ｄ  第四の折りライン
１２ａ  第一の延長板
１２ｂ  第二の延長板
１２ｃ  第三の延長板
１２ｄ  第四の延長板
１３  補助折りライン
１４，１５  斜め折りライン
１６，１７  係止部
１８  摘み片
【図１】
2014040257.tif 000003
【図２】
2014040257.tif 000004
【図３】
2014040257.tif 000005
【図４】
2014040257.tif 000006
【図５】
2014040257.tif 000007
【図６】
2014040257.tif 000008
【図７】
2014040257.tif 000009
【図８】
2014040257.tif 000010